(57)【要約】      （修正有）【課題】演習時に使用されたボールを容易に収集し、自動供給のための新たなコート床傾斜構造を提供する。【解決手段】球技種目自動供給のためのコート床傾斜構造によると、演習に使用されたボールがコートＡの傾斜に沿って外側に転がって降りた後、収集溝１に収集されて一箇所に集まることができるようになることによって、散らばったボールを別々に集める必要がないメリットがある。【選択図】図１
2020005817.tif 000002
【特許請求の範囲】
【請求項１】
球技種目の競技をすることができるようになった球技場のコート（Ａ）の上面が外側に傾斜するように構成されて競技または演習に使用されたボールが外側に転がって行って収集され、前記コート（Ａ）の床面（１０）に上面が傾斜した支持層（１１）を形成し、前記支持層（１１）は、前記コート（Ａ）の外側周り部に対応するように設置され、木材パネルを方形の枠形に組み立てて構成されたモールド（１３）と、前記モールド（１３）の内部に配置され、金属パイプを結合して上面が支持層（１１）の傾斜面に対応する傾斜面をなすように構成された支持部材（１４）を含むコート床傾斜構造において、
前記モールド（１３）の内部にコンクリートを打設し、前記支持部材（１４）の傾斜面に対応するようにコンクリートの上面を前記支持部材（１４）の上面と同じ勾配の平面をなすように面をならして硬化させ、硬化されたコンクリートの上面を研削機またはグラインダーを介して仕上げて施工され、
施工された前記支持層（１１）の上面には、競技場の種類に応じて木材や合成樹脂材またはゴム材質のうちから選択された床材（１２）をパネルの形で構成して前記支持層（１１）を覆うように接着固定するか、合成樹脂材またはゴム材質の床材成分を前記支持層（１１）の上面に一定の厚さに塗布して床材を構成し、
競技または演習に使用されたボールがコート（Ａ）の傾斜面に沿ってコートＡの外側に排出され、前記コートＡの外側周り部に一側に傾斜した収集溝（１）に収集された後、収集溝（１）の傾斜に沿って一側に集まることができるようにし、前記コート（Ａ）の傾斜面は、上面全体が両側に下向き傾斜するように構成、または上面の両側だけ両側に下向き傾斜するように構成、または両側と後側がそれぞれ両側と後側に下向き傾斜するように構成、または中央部から外側に下向き傾斜したドーム形で構成され、
前記支持層（１１）の傾斜度は、０．１°〜３°で形成され、
前記コート（Ａ）において各コーナーが会う傾斜度が始まる部位は、ラウンド処理して緩やかに形成されていることを特徴とする球技種目自動供給のためのコート床傾斜構造。
【発明の詳細な説明】
【技術分野】
【０００１】
本発明は、練習時に使用されたボールを容易に収集し、自動供給するための新たなコート床傾斜構造に関する。
【背景技術】
【０００２】
最近になって、バスケットボール、フットサル、バレーボール、テニス、足球（フットバレーボール）などのような球技種目を楽しむ人々が増えている。
【０００３】
ところで、これらの球技種目をする競技場のコートは、水平面をなすように構成されることにより、プレイヤーが演習をする場合、演習に使用されたボールが周辺に広く散ることになり、練習中にこのように散らばったボールを再び収集しなければならないので、非常に面倒な問題点があった。
【０００４】
したがって、このような問題点を解決することができる新しい方法が必要になった。
【先行技術文献】
【特許文献】
【０００５】
【特許文献１】韓国登録特許１０−０３９４９０２号公報
【発明の概要】
【発明が解決しようとする課題】
【０００６】
本発明は、前記の問題点を解決するためのものであって、演習時に使用されたボールを容易に収集し、自動供給するための新たなコート床傾斜構造を提供することにその目的がある。
【課題を解決するための手段】
【０００７】
前記した目的を達成するための本発明は、球技種目の競技をすることができるようになった球技場のコートＡの上面が外側に傾斜するように構成されて競技または演習に使用されたボールが外側に転がって行って収集され、前記コートＡの床面１０に上面が傾斜した支持層１１を形成し、前記支持層１１は、前記コートＡの外側周り部に対応するように設置され、木材パネルを方形の枠形に組み立てて構成されたモールド１３と、前記モールド１３の内部に配置され、金属パイプを結合して上面が支持層１１の傾斜面に対応する傾斜面をなすように構成された支持部材１４を含む球技場のコート構造において、前記モールド１３の内部にコンクリートを打設し、前記支持部材１４の傾斜面に対応するようにコンクリートの上面を前記支持部材１４の上面と同じ勾配の平面をなすように面をならして硬化させ、硬化されたコンクリートの上面を研削機またはグラインダーを介して仕上げて施工され、施工された前記支持層１１の上面には、競技場の種類に応じて木材や合成樹脂材またはゴム材質のうちから選択された床材１２をパネルの形で構成して前記支持層１１を覆うように接着固定するか、または、合成樹脂材またはゴム材質の床材成分を前記支持層１１の上面に一定の厚さに塗布して床材を構成し、競技または演習に使用されたボールがコートＡの傾斜面に沿ってコートＡの外側に排出され、前記コートＡの外側周り部に一側に傾斜した収集溝１に収集された後、収集溝１の傾斜に沿って一側に集まることができるようにし、前記コートＡの傾斜面は、上面全体が両側に下向き傾斜するように構成、または上面の両側だけ両側に下向き傾斜するように構成、または両側と後側がそれぞれ両側と後側に下向き傾斜するように構成、または中央部から外側に下向き傾斜したドーム形で構成され、前記支持層１１の傾斜度は、０．１°〜３°で形成し、前記コートＡにおいて各コーナーが会う傾斜度が始まる部位は、ラウンド処理して緩やかに形成することを特徴とするコート床傾斜構造を提供することができる。
【発明の効果】
【０００８】
本発明による球技種目自動供給のためのコート床傾斜構造によると、演習に使用されたボールがコートの傾斜に沿って外側に転がって降りた後、前記収集溝に収集されて一箇所に集まることができるようになることによって、散らばったボールを別々に集める必要がないメリットがある。
【図面の簡単な説明】
【０００９】
【図１】図１は、本発明によるコート床傾斜構造を示した平面図である。
【図２】図２は、本発明によるコート床傾斜構造を示した側断面図である。
【図３】図３は、本発明によるコート床傾斜構造の支持層を施工するためのモールドを示した平面図である。
【図４】図４は、本発明によるコート床傾斜構造の支持層を施工するためのモールドを示した側断面図である。
【図５】図５は、本発明によるコート床傾斜構造の変形例を示した平面図である。
【図６】図６は、本発明によるコート床傾斜構造の変形例を示した平面図である。
【図７】図７は、本発明によるコート床傾斜構造の変形例を示した平面図である。
【図８】図８は、本発明によるコート床傾斜構造の変形例を示した平面図である。
【図９】図９は、本発明によるコート床傾斜構造の変形例を示した平面図である。
【図１０】図１０は、本発明によるコート床傾斜構造の変形例を示した平面図である。
【発明を実施するための形態】
【００１０】
以下、本発明を添付された例示図面に基づいて詳細に説明する。
【００１１】
図１及び図２は、本発明によるコート床傾斜構造を示したものであって、前後方向の長さが１２ｍ、幅が６ｍである競技場のコートＡに適用されることを例示したものである。
【００１２】
これによると、前記コートＡは、上面が外側に傾斜するように構成され、コートＡの外側周り部には一側に傾斜した収集溝１が形成され、競技または演習に使用されたボールが外側に転がって行って前記収集溝１に収集された後、収集溝１の傾斜に沿って一側に集まることができるように構成される。
【００１３】
このとき、前記コートＡは、図１に示したように、コートＡの全体が中央部を中心に前後方向に傾斜するように構成される。
【００１４】
これを詳細に説明すると、前記コートＡは、床面１０に上面が前後方向に傾斜した支持層１１を形成し、前記支持層１１は、コンクリート、黄土などの運動競技に支障のない様々な材質で設け、前記支持層１１の上面に床材１２を積層して構成される。
【００１５】
このために、前記床面１０は、地面が平面をなすように堅く押し固めたものまたは地面に、地面の上面に別途の部材を積層して上面が平面をなすように施工されたものを示す。
【００１６】
そして、前記支持層１１は、コートＡの外側周り部に対応するようにモールド１３を設置するステップと、前記モールド１３の内部に上面が支持層１１の傾斜面に対応する傾斜面をなすように構成された複数個の支持部材１４を相互側方向に離隔されるように配置するステップと、前記モールド１３の内部にコンクリートを打設するステップと、前記支持部材１４の傾斜面に対応するようにコンクリートの上面をならした後、硬化させるステップと、硬化されたコンクリートの上面を研削機またはグラインダーなどを利用して仕上げるステップを介して上面が正確な角度で傾斜するように施工される。
【００１７】
併せて、支持層１１の傾斜度は、０．１°〜３°でなりたち、好ましくは、０．５°〜１．５°の傾斜度をなすようにする。このように、支持層１１の傾斜度を０．１°〜３°の範囲に設定する理由は、支持層１１の傾斜度が０．１°以下である場合、平面状態をなすようになって運動競技に使用されるボールを収集溝１で集めることができなくなり、支持層１１の傾斜度が３°以上である場合、傾斜度（勾配）が激しくて運動競技を自由に行うことができなくなるため、このような問題点を解消するためのものである。
【００１８】
好ましく０．５°〜１．５°に設定した例を見ると、摩擦力が少ない木の材質の傾斜０．７°の場合、空気が注入されるボール、例えば、サッカーボール・バレーボール・バスケットボールなどは収集溝１に集められるが、テニスボールや野球ボールまたはピンポンボールなどはボールの表面材質やサイズなどが適していないので、転がって行くのが難しい。
【００１９】
傾斜１．５°を持った床、またはウレタンまたはＰＰ（プラスチック）の床材の場合、球技種目のボールなどが僅かの時間差を置くだけで、すべて収集溝１に集められる。
【００２０】
大体に、傾斜１．５°以上は、球技種目運動をするのに不便さが生じ始めて、傾斜３°くらいに到達すると、運動するのに困難が多い。
【００２１】
芝球場の場合、傾斜３°にした際にも、収集溝１へ行くことができなかった。
【００２２】
このように傾斜の設定に応じて、人の疲労度とボールの回収可能性が変わるため、好ましい傾斜を設定することが重要である
【００２３】
前記モールドは、図３及び図４に示したように、木材パネルを方形の枠形に組み立てて構成される。
【００２４】
前記支持部材１４は、強度が高い金属パイプを熔接結合して構成される。
【００２５】
そして、前記モールド１３の内部に打設されたコンクリートの上面をならすときは側方向の幅が、前記支持部材１４の間隔よりも広いブルフロート（ｂｕｌｌ ｆｌｏａｔ）を前記支持部材１４の上面に載せた状態で前後方向に押してコンクリートが広く広がるようにすることによって、コンクリートの上面が前記支持部材１４の上面と同じ勾配の平面をなすようにすることができる。
【００２６】
前記ブルフロートは、床面に打設されたコンクリートの上面をならすとき、一般的に使用されるものであるので、これに対するこれ以上の詳細な説明は省略する。
【００２７】
前記床材１２は、木材や合成樹脂材またはゴム材質で構成されたものであって、小さなパネルの形で構成されて多数個が前記支持層１１の上面に支持層１１を覆うように接着固定されるか、前記支持層１１の上面に一定の厚さを有するように塗布される。
【００２８】
この時、前記床材１２の種類は、競技場の種類に応じて異なる。
【００２９】
そして、前記コートＡの傾斜角は、ボールの種類と床材１２の種類に応じて適切に調節される。
【００３０】
そして、前記収集溝１には、収集溝１によって収集されたボールを選手に供給するボール供給手段２が備えられ、前記収集溝１に収集されたボールを自動的に選手に供給することができるように構成される。
【００３１】
このように構成されたコート床傾斜構造によると、演習に使用されたボールが図１に矢印で示したように、前記コートＡの傾斜に沿って外側に転がって降りた後、前記収集溝１に収集されて一箇所に集まるようになることによって、散らばったボールを別々に集める必要がないメリットがある。
【００３２】
また、前記コートＡは、床面１０に上面が傾斜したコンクリート材質の支持層１１を形成し、前記支持層１１の上面に木材や合成樹脂材またはゴム材質の床材１２を積層して構成されることにより、コートＡの傾斜面を自由に調節することができるメリットがある。
【００３３】
特に、前記支持層１１は、コートＡの外側周り部に対応するようにモールド１３を設置するステップと、前記モールド１３の内部に上面が支持層１１の傾斜面に対応する傾斜面をなすように構成された支持部材１４を配置するステップと、前記モールド１３の内部にコンクリートを打設するステップと、前記支持部材１４の傾斜面に対応するようにコンクリートの上面をならした後、硬化させるステップと、硬化されたコンクリートの上面を研削機またはグラインダーなどを利用して仕上げてステップを介して施工されることにより、前記支持層１１と支持層１１の上面に載せられる床材１２の上面が正確な平面をなすようにすることができるメリットがある。
【００３４】
本実施例の場合、コートＡ全体が中央部を中心に前後方向に傾斜するように構成されたことを例示したが、図５に示したように、前記コートＡの半分だけ前後方向に傾斜するように構成され得る。
【００３５】
また、図６に示したように、上面全体が両側に下向き傾斜するか、図７に示したように、上面の両側だけ両側に下向き傾斜するように構成されることができ、図８及び図９に示したように、両側と後側がそれぞれ両側と後側に下向き傾斜するように構成され得る。また、図１０のように中心を頂点に、全体方向に均一に傾斜度を形成したコート構造または中心から行くほど半径が大きくなる円周に沿って複数の傾斜層を順番に形成することができる。
【００３６】
または、前記コートＡは、中央部から外側に下向き傾斜したドーム形で構成され得る。
【００３７】
前記の構成を有するコートＡにおいて傾斜度（勾配）が始まる部位、すなわち、各コーナーが会う部位（図面において点線で示された部位）は、ラウンド処理して緩やかに形成することが好ましい。
【符号の説明】
【００３８】
Ａ    コート
１    収集溝
１０  床面
【図１】
2020005817.tif 000003
【図２】
2020005817.tif 000004
【図３】
2020005817.tif 000005
【図４】
2020005817.tif 000006
【図５】
2020005817.tif 000007
【図６】
2020005817.tif 000008
【図７】
2020005817.tif 000009
【図８】
2020005817.tif 000010
【図９】
2020005817.tif 000011
【図１０】
2020005817.tif 000012